(57)【特許請求の範囲】
【請求項１】
記録媒体を着脱自在とする電子機器において、
上記記録媒体の装着および抜脱のための着脱用開口部と、
第１の方向への移動および該第１の方向と異なる第２の方向への移動を自在とし、移動方向の別により異なる被操作部材を作用せしめる操作部材と、
上記操作部材の上記第１の方向への移動位置に応じて複数の動作モードを設定する動作モード設定手段と、
上記操作部材の上記第２の方向への移動に連動して、装着状態にある記録媒体を上記着脱用開口部から排出せしめる記録媒体排出手段と、
を備え
上記操作部材は、摺動操作により上記第１の方向へ移動され、押圧操作によって上記第２の方向への移動されるよう設けられる
ことを特徴とする電子機器。
【請求項２】
上記操作部材が上記第１の方向における所定位置に位置しているとき以外に該操作部材の上記第２の方向への移動を禁止する移動禁止手段を具備する
ことを特徴とする請求項１に記載の電子機器。
【請求項３】
上記記録媒体排出手段は、上記操作部材に係合し該操作部材が上記第２の方向へ移動された際、上記記録媒体を押圧して上記着脱用開口部から排出せしめることを特徴とする請求項１に記載の電子機器。
【請求項４】
上記記録媒体排出手段は、上記記録媒体が装着状態にあるときは該記録媒体と係合して同記録媒体の変位を規制することを特徴とする請求項１に記載の電子機器。
【発明の詳細な説明】
【０００１】
【発明の属する技術分野】
本発明は、電子機器、詳しくは、記録媒体を着脱自在とする電子機器に関する。
【０００２】
【従来の技術】
近年、マイクロホン等によって得られた音声信号をデジタル信号に変換して、例えば半導体メモリに記録しておき、再生時において、該半導体メモリからこの音声信号を読み出してアナログ信号に変換し、スピーカ等により音声として出力する、いわゆるデジタルレコーダと呼ばれているデジタル情報記録再生装置が開発されている。
【０００３】
また、このようなデジタル信号に変換された音声信号を記録媒体として用いるデジタルレコーダにおいて、着脱自在で、かつ、書換可能なメモリカードを記録媒体として用いたレコーダが、たとえば、米国特許ＵＳＰ５，４９１，７７４等に開示されている。
【０００４】
さらに、このようなメモリーカードを着脱自在とするレコーダにおけるカード取出機構は、たとえば、実開平４−１２６３３５号等において、種々知られている。
【０００５】
一方、従来、再生操作と録音操作とを一つのスライド操作ボタンで実施する音声記録再生装置がアナログレコーダ、デジタルレコーダを問わず広く知られている。以下、図を参照して上記再生操作と録音操作とを一つのスライド操作ボタンで実施する音声記録再生装置の一例を簡単に説明する。
【０００６】
図２３は、従来の着脱自在な記録媒体を装着可能な音声記録再生装置の一例を示した外観斜視図である。
【０００７】
この音声記録再生装置は、いわゆるデジタルレコーダと称される音声記録再生装置であって、マイクロホン等によって得られた音声信号をデジタル信号に変換して着脱自在な半導体メモリ（メモリカード１０３）に記録しておき、再生時において、該半導体メモリからこの音声信号を読み出してアナログ信号に変換し、イヤホンやスピーカ等により音声として出力する機能を備えるレコーダである。
【０００８】
図２３に示すように、音声記録再生装置本体１０１の上面にはマイクロホン、イヤホンジャックが、また正面には表示部等が配設され、本体１０１の一側面には、録音操作、再生操作等を行うスライド操作ボタン１０２と、記録媒体のイジェクト操作を行う操作ボタン１０６が配設されている。なお、本体１０１の底面にはメモリカード１０３の着脱用の開口部が形成されている。
【０００９】
この音声記録再生装置は、録音・再生操作をスライド機構による操作ボタン１０２で行うが、この種の装置の場合、装着されたメモリカード１０３の排出は、イジェクト専用の操作ボタン１０６を操作することでなし得ている。
【００１０】
【発明が解決しようとする課題】
しかしながら、上記再生操作と録音操作とを一つのスライド操作ボタンで実施する音声記録再生装置であって、着脱自在なメモリカードを装着する装置の場合、装着されたメモリカードの排出のための専用のイジェクト操作ボタンを設けなければならず、装置の小型化を妨げるのみならず、必ずしも操作性に優れているとはいえなかった。
【００１１】
さらに、再生、録音操作を行う操作ボタンとメモリカード排出用のボタンとが別々に設けられているので、たとえば、誤って録音動作中（メモリ書き込み中）に当該メモリを排出してしまうと書き込みデータを壊してしまう虞もあった。
【００１２】
本発明はかかる問題点に鑑みてなされたものであり、小型で操作性に優れた電子機器を提供することを目的とする。
【００１３】
さらに、本発明は、小型で操作性に優れ、さらに処理データの破損、データ処理の不都合を防止することができる電子機器を提供することを目的とする。
【００１４】
【課題を解決するための手段】
上記目的を達成するため本発明の第１の電子機器は、記録媒体を着脱自在とする電子機器において、上記記録媒体の装着および抜脱のための着脱用開口部と、第１の方向への移動および該第１の方向と異なる第２の方向への移動を自在とし、移動方向の別により異なる被操作部材を作用せしめる操作部材と、上記操作部材の上記第１の方向への移動位置に応じて複数の動作モードを設定する動作モード設定手段と、上記操作部材の上記第２の方向への移動に連動して、装着状態にある記録媒体を上記着脱用開口部から排出せしめる記録媒体排出手段と、備え 上記操作部材は、摺動操作により上記第１の方向へ移動され、押圧操作によって上記第２の方向への移動されるよう設けられるを具備することを特徴とする。
【００１５】
上記目的を達成するため本発明の第２の電子機器は、上記第１の電子機器において、上記操作部材が上記第１の方向における所定位置に位置しているとき以外に該操作部材の上記第２の方向への移動を禁止する移動禁止手段を具備することを特徴とする。
上記目的を達成するため本発明の第３の電子機器は、上記第１の電子機器において、上記記録媒体排出手段は、上記操作部材に係合し該操作部材が上記第２の方向へ移動された際、上記記録媒体を押圧して上記着脱用開口部から排出せしめることを特徴とする。
【００１６】
上記の目的を達成するために本発明の第４の電子機器は、上記第１の電子機器において、上記記録媒体排出手段は、上記記録媒体が装着状態にあるときは該記録媒体と係合して同記録媒体の変位を規制することを特徴とする。
【００２１】
【発明の実施の形態】
以下、図面を参照して本発明の実施の形態を説明する。
【００２２】
図１は、本発明の第１の実施形態である音声記録再生装置の外観を示した斜視図であって、着脱自在な記録媒体を装着した様子を示した図である。
【００２３】
この音声記録再生装置は、いわゆるデジタルレコーダと称される音声記録再生装置であって、マイクロホン等によって得られた音声信号をデジタル信号に変換して着脱自在な半導体メモリ（メモリカード）に記録しておき、再生時において、該半導体メモリからこの音声信号を読み出してアナログ信号に変換し、イヤホンやスピーカ等により音声として出力する機能を備えるレコーダである。
【００２４】
図１に示すように、音声記録再生装置本体１の上面にはマイクロホン６、イヤホンジャック７が、また正面には表示部８等が配設されるが、これらは通常の機能を果たすのみでありここでの詳しい説明は省略する。
【００２５】
本体１の一側面には、録音操作、再生操作、記録媒体のイジェクト操作等を行うスライド操作ボタン２が配設されている。また、本体１の底面にはメモリカード着脱用の開口部４が形成されている。
【００２６】
図１は、メモリカード３が装着された状態を示している。このメモリカード３は一側面に切り欠き部３ａが形成されており、図に示すように装着時には本体内部に配設されたレバー１１により保持されるようになっている。なお、詳しくは後述する。
【００２７】
次に、上記スライド操作ボタン２とその周辺部の構成について説明する。
図２は、本実施形態の音声記録再生装置の一側面を切り取ってスライド操作ボタン、動作モード設定部およびメモリカード排出機構を示した説明図である。
【００２８】
当該音声記録再生装置本体１の一側面（スライド操作ボタン２の配設面）側の本体内部には、スライド操作ボタン２の操作に連動して所定のスイッチを押圧する、あるいはメモリカード３の排出機構を作動せしめる動作モード設定部１２が配設されている。この動作モード設定部１２は略長方形の板状部材であり、外装面を挟んでスライド操作ボタン２に対向する位置に配設される。また、動作モード設定部１２の一側面には、スライド操作ボタン２との連結部２５が一体的に延設されている。この連結部２５は本体１に形成された孔部５を貫通してその先端はスライド操作ボタン２の底面に固定される。
【００２９】
ところで本実施形態の音声記録再生装置は、スライド操作ボタン２の操作の仕方の違いによる２つの異なる操作体系を実現する。第１の操作体系として、スライド操作ボタン２は、いわゆるスライドボタンタイプのスイッチとしての機能を果たす。この場合、操作者はスライド操作ボタン２を本体１の外装面上を上下方向（図２中、矢印Ａ方向）に摺動させることで、本体内部に配設した所定のスイッチ（電気信号にかかるスイッチ）を作用せしめ操作を行い得る。なお、詳しくは後述する。
【００３０】
第２の操作体系として、スライド操作ボタン２は、本体内部に向けて押圧変位されることで、その変位を利用した機械的な操作部として機能する。この場合、操作者はスライド操作ボタン２を押圧して孔部５に挿入することで、上記スライドスイッチとしての機能とは別の操作機能を果たすことができるようになっている。
【００３１】
なお上記孔部５は、スライド操作ボタン２が該孔部５内に挿入可能となるように該スライド操作ボタン２の投影形状とほぼ同大に形成される。なお、後述するようにスライド操作ボタン２は、通常は付勢バネ１５の付勢力により本体１より突出し外装面上の摺動のみを可能とする。
【００３２】
一方、動作モード設定部１２の中程の上下面寄りには、図２において“Ｔ字”形状を呈するガイド溝２１，２２が形成されている。これらガイド溝２１，２２にはそれぞれ本体１に固定されたガイドピン２３，２４が係合しており、これにより動作モード設定部１２の上下左右方向の移動が規制される。
【００３３】
さらに動作モード設定部１２の底面と本体１の一部（図示せず）との間には付勢バネ１５が架設されており、動作モード設定部１２を図２中、右方、すなわちスライド操作ボタン２を本体１の外方に向けて付勢する。
【００３４】
また、動作モード設定部１２の上下方には所定の動作モードに対応するスイッチ１３、１４が配設されている。これらスイッチ１３、１４は動作モード設定部１２の移動によりそれぞれ上下面に押圧されてオン動作するスイッチであり、本実施形態では、スイッチ１３を再生モード設定用スイッチ、スイッチ１４を録音モード設定用スイッチとし、そのオン、オフ信号は図示しないＣＰＵに接続される。このＣＰＵは、当該音声記録再生装置全体の動作制御を司るとともに上記スイッチ１３、１４の状態に基づいて所定の動作モードを制御するが、音声記録再生装置全体の動作については、ここでの詳しい説明は省略する。
【００３５】
上記動作モード設定部１２の左側面には、メモリカード３の排出機構の一部である排出レバー１１の一端（１１ａ）が当接している。この排出レバー１１は、本体１の一部（図示せず）に固定された軸１８を支軸とした三つ又のレバーであり、該支軸１８の回りに回動自在となっている。なお、本実施形態においては、上記支軸１８の位置は、動作モード設定部１２より底面側に位置する。
【００３６】
第１腕部１１ａは支軸１８より一旦、上方に延出した後、動作モード設定部１２の左側面方向に曲折し、その先端は（付勢バネ１６の影響により）該左側面に押接されている。
【００３７】
第２腕部１１ｂは、装着されるメモリカード３を囲むように支軸１８より底面側に延出し、その先端部は曲折して鍵部を形成してメモリカード３が装着された際に切り欠き部３ａに係合する。
【００３８】
第３腕部１１ｃは、一旦、上記第２腕部１１ｂとは逆方向に延出した後、底面に向けて曲折し、その先端部はメモリカード３が装着された際に該メモリカード３の挿入方向先端の近傍に位置する。
【００３９】
また、第３腕部１１ｃの自由端部と本体１の一部（図示せず）との間には該排出レバー１１を図２中、時計方向に回転するよう付勢する付勢バネ１６が架設されている。
【００４０】
この付勢バネ１６の付勢力により、第１湾部１１ａの先端は動作モード設定部１２の底面に押接され、第２腕部１１ｂの先端部はメモリカード３が装着された際に該メモリカード３の切り欠き部（メモリカード保持用切り欠き部）３ａに係合してこれを保持する。また、第３腕部１１ｃは、メモリカード３が装着された際に同メモリカード３の先端近傍に位置するものの（本実施形態では当接する）、メモリカード３に対しては何ら力を加えるものではない。
【００４１】
次に、このような構成をなす本実施形態の再生、録音操作について図３、図４を参照して説明する。図３、図４はともに本実施形態の音声記録再生装置の一側面を切り取ってスライド操作ボタン、動作モード設定部およびメモリカード排出機構を示した説明図であって、図３は再生操作を行った際の様子を、図４は録音操作を行った際の様子をそれぞれ示したものである。
【００４２】
まず、再生操作について説明する。
いま、当該音声記録再生装置は停止状態にあり、かつ、メモリカード３が装着された状態にあるものとする。このとき、メモリカード３は上述した機構により排出レバー１１の第２腕部１１ｂにより保持されている（図１、図２参照）。また、この停止状態のとき上記スライド操作ボタン２、動作モード設定部１２等は図１、図２に示す状態にある。
【００４３】
当該音声記録再生装置を再生モードに設定する場合、操作者はスライド操作ボタン２を上方に摺動させる（図３に示す状態）。このスライド操作ボタン２の上方への移動により動作モード設定部１２も一体的に上方に移動する。動作モード設定部１２には、上述したように、Ｔ字型ガイド溝２１，２２が設けられており、このＴ字型溝のうち、上下方向の溝がそれぞれガイドピン２３，２４と係合することで、動作モード設定部１２の移動方向と移動量が規定される。
【００４４】
動作モード設定部１２が上方へ移動すると再生モード設定用スイッチであるスイッチ１３がオンされる。このスイッチ１３のオン動作は図示しないＣＰＵにより認識され、該ＣＰＵはかかるスイッチ１３のオン信号を入力すると、当該音声記録再生装置を再生モードに設定し、所定の回路を制御する。
【００４５】
なお、上記動作モード設定部１２の上方への移動の際、排出レバー１１は付勢バネ１６の付勢力より第１腕部１１ａにおいて該動作モード設定部１２に押接しているものの、軸１８回りに回転することはなく、従って、メモリカード３の保持状態は維持される。
【００４６】
また、再生操作を行うべくスライド操作ボタン２を上方に摺動させた状態では、スライド操作ボタン２を本体内部に押し込むことはできない。すなわち、図においても明らかなように、このときスライド操作ボタン２は孔部５に対向する位置になく、したがって、外装部により本体内部への押し込みによる移動は禁止されることとなる。
【００４７】
次に、録音操作について説明する。
いま、当該音声記録再生装置は停止状態にあり、かつ、メモリカード３が装着された状態にあるものとする。このとき、メモリカード３は上述した機構により排出レバー１１の第２腕部１１ｂにより保持されている（図１、図２参照）。なお、上記スライド操作ボタン２、動作モード設定部１２等は図１、図２に示す状態にある。
【００４８】
当該音声記録再生装置を録音モードに設定する場合、操作者はスライド操作ボタン２を下方に摺動させる（図４に示す状態）。このスライド操作ボタン２の下方への移動により動作モード設定部１２も一体的に下方に移動する。動作モード設定部１２には、上述したように、Ｔ字型ガイド溝２１，２２が設けられており、このＴ字型溝のうち、上下方向の溝がそれぞれガイドピン２３，２４と係合することで、動作モード設定部１２の移動方向と移動量が規定される。
【００４９】
動作モード設定部１２が下方へ移動するとスイッチ１４がオンされる。このスイッチ１４のオン動作は図示しないＣＰＵにより認識され、ＣＰＵはかかるスイッチ１４のオン信号を入力すると、当該音声記録再生装置を録音モードに設定し、所定の回路を制御する。
【００５０】
なお、上記動作モード設定部１２が下方へ移動する場合においても、上記再生操作の場合と同様に、排出レバー１１は付勢バネ１６の付勢力より第１腕部１１ａにおいて該動作モード設定部１２に押接しているものの、軸１８回りに回転することはなく、従って、メモリカード３の保持状態は維持される。
【００５１】
また、上記再生操作のときと同様に、録音操作を行うべくスライド操作ボタン２を下方に摺動させた状態では、スライド操作ボタン２を本体内部に押し込むことはできない。すなわち、この場合も外装部により本体内部への押し込みによる移動は禁止される。
【００５２】
次に、このような構成をなす本第１の実施形態の音声記録再生装置において、装着されたメモリカード３のイジェクト（排出）操作について図５、図６を参照して説明する。図５は、本発明の第１の実施形態である音声記録再生装置の外観を示した斜視図であって、着脱自在な記録媒体（メモリカード３）を排出する操作を行った際の様子を示した図である。また、図６は本実施形態の音声記録再生装置の一側面を切り取ってスライド操作ボタン、動作モード設定部およびメモリカード排出機構を示した説明図であって、メモリカード３を開口部４より排出させる操作を行った際の様子を示した図である。
【００５３】
いま、当該音声記録再生装置は停止状態にあり、かつ、メモリカード３が装着された状態にあるものとする。このとき、メモリカード３は上述した機構により排出レバー１１の第２腕部１１ｂにより保持されている（図１、図２参照）。また、上記スライド操作ボタン２、動作モード設定部１２等は図１、図２に示す状態にある。
【００５４】
装着されたメモリカード３をイジェクト（排出）する場合、操作者はスライド操作ボタン２を孔部５内に押し込むように挿入する（図５、図６に示す状態）。このスライド操作ボタン２の押圧挿入操作により動作モード設定部１２も、付勢バネ１５の付勢力に抗して本体１の内部に向けて変位する。
【００５５】
なお、動作モード設定部１２には、上述したように、Ｔ字型ガイド溝２１，２２が設けられており、このＴ字型溝のうち、左右方向の溝がそれぞれガイドピン２３，２４と係合することで、動作モード設定部１２の移動方向と変位量が規定される。
【００５６】
動作モード設定部１２が付勢バネ１５の付勢力に抗して本体内方へ変位すると、図６中、左側面において排出レバー１１の第１腕部１１ａを押圧する。これにより、排出レバー１１は、付勢バネ１６による時計回りの回転力に抗して軸１８を中心に反時計方向に回転する。
【００５７】
排出レバー１１の反時計方向の回転により第２腕部１１ｂ先端部（鍵部）とメモリカード３の切り欠き部３ａとの係合が解かれて、メモリカード３は自由状態となるとともに、第３腕部１１ｃの先端により排出する方向に押し出される。すなわち、メモリカード３は、第３腕部１１ｃ先端により底面に向けて押し出され、着脱用開口部４より排出される。
【００５８】
このように本実施形態の音声記録再生装置によれば、着脱自在の記録媒体（メモリカード３）のイジェクト（排出）専用の操作ボタン等を設けることなく、既存の操作部を利用してメモリカード３のイジェクト操作を行い得るので、本体の小型化に寄与し、かつ、操作性の優れた音声記録再生装置を提供することができるという効果を奏する。
【００５９】
なお、本実施形態においては、メモリカード３のイジェクト操作を行うスライド操作ボタン２による他の操作は、再生操作、録音操作としたが、これに限らず、早送り操作、早戻し操作を行うボタン等を利用してイジェクト操作を行ってもよい。この場合も上記同様の効果を奏する。
【００６０】
次に、本発明の第２の実施形態の音声記録再生装置について説明する。
図７は、本発明の第２の実施形態である音声記録再生装置の外観を示した斜視図である。なお、図１に示す上記第１の実施形態と同様の構成要素については同一の符号を付与し、ここでの説明は省略する。
【００６１】
第２実施形態の音声記録再生装置は、上記第１の実施形態と同様にいわゆるデジタルレコーダと称される音声記録再生装置であって、マイクロホン等によって得られた音声信号をデジタル信号に変換して着脱自在な半導体メモリ（メモリカード）に記録しておき、再生時において、該半導体メモリからこの音声信号を読み出してアナログ信号に変換し、イヤホンやスピーカ等により音声として出力する機能を備えるレコーダである。
【００６２】
図７に示すように、音声記録再生装置本体３１の上面には上記第１の実施形態と同様に、マイクロホン６、イヤホンジャック７が、また正面には表示部８等が配設されるが、これらは通常の機能を果たすのみでありここでの詳しい説明は省略する。
【００６３】
第２の実施形態の音声記録再生装置においても、本体３１の一側面には、録音操作、再生操作、記録媒体のイジェクト操作を行うスライド操作ボタン３２が配設されている。また、本体３１の底面にはメモリカード着脱用の開口部４が形成されている。
【００６４】
図７は、メモリカード３が装着された状態を示している。このメモリカード３は一側面に切り欠き部３ａが形成されており、図に示すように装着時には本体内部に配設されたレバー４１により保持されるようになっている。なお、詳しくは後述する。
【００６５】
次に、上記スライド操作ボタン３２とその周辺部の構成について説明する。
図８は、本実施形態の音声記録再生装置の一側面を切り取ってスライド操作ボタンおよびメモリカード排出機構を示した説明図である。また、図９は、上記スライド操作ボタンを中程において水平に切り取って示した断面図である。
【００６６】
当該音声記録再生装置本体３１の一側面には、第１実施形態と同様の外観の呈するスライド操作ボタン３２が配設される。スライド操作ボタン２の裏面には該スライド操作ボタン３２の操作に基づいて所定のスイッチ（図示せず）を押圧するあるいはメモリカード３の排出機構を作動せしめる操作ボタン基部４２が一体的に配設されている。操作ボタン基部４２は、本体３１の一側面に形成された孔部３５を貫通して本体３１内方に向けて延設される。
【００６７】
一方、本体３１の内部には上記操作ボタン基部４２用のガイド軸４３が上下方向に延びて配設されている。このガイド軸４３の両端は本体３１の所定箇所に固定され、操作ボタン基部４２はこのガイド軸４３に沿って上下方向に摺動自在になされているとともに、該ガイド軸４３回りに回動自在になされている。これによりスライド操作ボタン３２は、ガイド軸４３にガイドされ本体３１の外装面上を上下方向（図８中、矢印Ａ方向）に摺動するとともに、ガイド軸４３を中心に水平面上で回動する（図９中、矢印Ｂ方向）。
【００６８】
操作ボタン基部４２の上下方には、図示はしないがそれぞれ所定の動作モードに対応するスイッチが配設されている。これらスイッチは操作ボタン基部４２の上下方向の移動により押圧されてオン動作するスイッチであり、そのオン、オフ信号は図示しないＣＰＵに接続される。このＣＰＵは、当該音声記録再生装置全体の動作制御を司るとともにかかるスイッチの状態に基づいて所定の動作モードを制御するが、音声記録再生装置全体の動作については、ここでの詳しい説明は省略する。
【００６９】
上記操作ボタン基部４２の左側面には、メモリカード３の排出機構の一部である排出レバー４１の一端（４１ａ）が当接している。この排出レバー４１は、本体１の一部（図示せず）に固定された軸４４を支軸とした三つ又のレバーであり、該支軸４４の回りに回動自在となっている。なお、本実施形態においては、上記支軸４４の位置は、操作ボタン基部４２より底面側に位置する。
【００７０】
第１腕部４１ａは支軸４４より一旦、上方に延出した後、操作ボタン基部４２の左側面方向に曲折し、その先端は（付勢バネ４６の影響により）該左側面に押接されている。
【００７１】
第２腕部４１ｂは、支軸４４より底面側に延出し、その先端部は曲折して鍵部を形成してメモリカード３が装着された際に切り欠き部３ａに係合する。
【００７２】
第３腕部４１ｃは、一旦、支軸４４より左方に延出した後、底面に向けて曲折し、その先端部はメモリカード３が装着された際に該メモリカード３の挿入方向先端の近傍に位置する。
【００７３】
また、第３腕部４１ｃの自由端部と本体１の一部（図示せず）との間には該排出レバー４１を図８中、時計方向に回転するよう付勢する付勢バネ４６が架設されている。
【００７４】
この付勢バネ４６の付勢力により、第１湾部４１ａの先端は操作ボタン基部４２の底面に押接され、第２腕部４１ｂの先端部はメモリカード３が装着された際に該メモリカード３の切り欠き部３ａに係合してこれを保持する。また、第３腕部４１ｃは、メモリカード３が装着された際に同メモリカード３の先端近傍に位置するものの（本実施形態では当接する）、メモリカード３に対しては何ら力を加えるものではない。
【００７５】
次に、このような構成をなす本実施形態の再生操作について図１０を参照して説明する。図１０は、本第２の実施形態の音声記録再生装置の一側面を切り取ってスライド操作ボタンおよびメモリカード排出機構を示した説明図であって、再生操作を行った際の様子を示したものである。
【００７６】
いま、当該音声記録再生装置は停止状態にあり、かつ、メモリカード３が装着された状態にあるものとする。このとき、メモリカード３は上述した機構により排出レバー４１の第２腕部４１ｂにより保持されている（図７、図８参照）。また、上記スライド操作ボタン３２、操作ボタン基部４２等は図７、図８に示す状態にある。
【００７７】
当該音声記録再生装置を再生モードに設定する場合、操作者はスライド操作ボタン３２を上方に摺動させる（図１０に示す状態）。このスライド操作ボタン３２の上方への移動により操作ボタン基部４２も、ガイド軸４３に沿って一体的に上方に移動する。なお、操作ボタン基部４２の上方への移動は、該操作ボタン基部４２が孔部３５の上側壁面に当接することで規定される。また、図示はしないが、操作ボタン基部４２の下方への移動は、孔部３５の下側壁面に当接することで規定される。
【００７８】
操作ボタン基部４２が上方へ移動すると、図示しない動作設定用スイッチがオンされる。このスイッチのオン動作は図示しないＣＰＵにより認識され、該ＣＰＵはかかるスイッチのオン信号を入力すると、当該音声記録再生装置を再生モードに設定し、所定の回路を制御する。
【００７９】
なお、上記操作ボタン基部４２の上方への移動の際、排出レバー４１は付勢バネ４６の付勢力より第１腕部４１ａにおいて該操作ボタン基部４２に押接しているものの、軸４４回りに回転することはなく、従って、メモリカード３の保持状態は維持される。
【００８０】
また、上記再生操作操作を行うべくスライド操作ボタン３２を上方に摺動させた状態では、上記第１の実施形態と同様に、スライド操作ボタン３２を本体内部に押し込むことはできない。すなわち、この場合も外装部により本体内部への押し込みによる移動は禁止される。
【００８１】
次に、このような構成をなす本第２の実施形態の音声記録再生装置において、装着されたメモリカード３のイジェクト（排出）操作について図１１、図１２を参照して説明する。図１１は、本発明の第２の実施形態である音声記録再生装置の一側面を切り取ってスライド操作ボタンおよびメモリカード排出機構を示した説明図であって、メモリカードを開口部より排出させる操作を行った際の様子を示した図であり、図１２は、上記スライド操作ボタンを中程において水平に切り取って示した断面図であって、メモリカードを開口部より排出させる操作を行った際の様子を示した図である。
【００８２】
いま、当該音声記録再生装置は停止状態にあり、かつ、メモリカード３が装着された状態にあるものとする。このとき、メモリカード３は上述した機構により排出レバー４１の第２腕部４１ｂにより保持されている（図７、図８参照）。
【００８３】
装着されたメモリカード３をイジェクト（排出）する場合、操作者はスライド操作ボタン３２を孔部３５において本体３１の後方側に押し込むように押圧する（図１１，図１２に示す状態）。このスライド操作ボタン３２の押圧操作によりスライド操作ボタン３２と操作ボタン基部４２とは一体的にガイド軸４３回りに回転する。
【００８４】
操作ボタン基部４２が回転すると、図１１中、左側面４２ａにおいて排出レバー４１の第１腕部４１ａを押圧する。これにより、排出レバー４１は、付勢バネ４６による時計回りの回転力に抗して軸４４を中心に反時計方向に回転する。
【００８５】
排出レバー４１の反時計方向の回転により第２腕部４１ｂ先端部（鍵部）とメモリカード３の切り欠き部３ａとの係合が解かれて、メモリカード３は自由状態となるとともに、第３腕部４１ｃの先端により排出する方向に押し出される。すなわち、メモリカード３は、第３腕部４１ｃ先端により底面に向けて押し出され、着脱用開口部４より排出される。
【００８６】
このように本第２の実施形態の音声記録再生装置によっても、上記第１の実施形態と同様、着脱自在の記録媒体（メモリカード３）のイジェクト（排出）専用の操作ボタン等を設けることなく、既存の操作部を利用してメモリカード３のイジェクト操作を行い得るので、本体の小型化に寄与し、かつ、操作性の優れた音声記録再生装置を提供することができるという効果を奏する。
【００８７】
なお、本第２の実施形態においても、メモリカード３のイジェクト操作を行うスライド操作ボタン３２による他の操作は、再生操作としたが、これに限らず、早送り操作、早戻し操作を行うボタン等を利用してイジェクト操作を行ってもよい。この場合も上記同様の効果を奏する。
【００８８】
また、上記各実施形態は、本発明を音声記録再生装置に適用した例として示したが、本発明の思想はこれに限らず、上記同様のスライド操作ボタンを備え、かつ、記録媒体を着脱自在とする電子機器、たとえば携帯型情報端末装置、映像記録装置、画像記録装置等に広く適用することができ、この場合も上記同様の効果を発揮することとなる。
【００８９】
次に、本発明の第３の実施形態について説明する。
図１３は、本発明の第３の実施形態である音声記録再生装置の外観を示した斜視図であって、着脱自在な記録媒体を装着した様子を示した図である。
【００９０】
この音声記録再生装置は、いわゆるデジタルレコーダと称される音声記録再生装置であって、マイクロホン等によって得られた音声信号をデジタル信号に変換して着脱自在な半導体メモリ（メモリカード）に記録しておき、再生時において、該半導体メモリからこの音声信号を読み出してアナログ信号に変換し、イヤホンやスピーカ等により音声として出力する機能を備えるレコーダである。
【００９１】
図１３に示すように、音声記録再生装置本体２０１の上面にはマイクロホン２０６、イヤホンジャック２０７が、また正面には表示部２０８等が配設されるが、これらは通常の機能を果たすのみでありここでの詳しい説明は省略する。
【００９２】
本体２０１の一側面には、録音操作、再生操作、記録媒体のイジェクト操作等を行うスライド操作ボタン２０２が配設されている。また、本体２０１の底面にはメモリカード着脱用の開口部２０４が形成されている。
【００９３】
図１３は、メモリカード２０３が装着された状態を示している。このメモリカード２０３は一側面に切り欠き部２０３ａが形成されており、図に示すように装着時には本体内部に配設された固定用球２１４により保持されるようになっている。なお、詳しくは後述する。
【００９４】
次に、上記スライド操作ボタン２０２とその周辺部の構成について説明する。
図１４は、本実施形態の音声記録再生装置の一側面を切り取ってスライド操作ボタン、動作モード設定部およびメモリカード排出機構を示した説明図である。
【００９５】
当該音声記録再生装置本体２０１の一側面（スライド操作ボタン２０２の配設面）側の本体内部には、スライド操作ボタン２０２の操作に連動して所定のスイッチを押圧する、あるいはメモリカード２０３を排出する動作モード設定部２１１が配設されている。この動作モード設定部２１１は略Ｌ字形の板状部材であり、外装面を挟んでスライド操作ボタン２０２に対向する位置に配設される。
【００９６】
上記動作モード設定部２１１の一側面には、スライド操作ボタン２０２との連結部２１５が一体的に延設されている。この連結部２１５は本体２０１に形成された孔部２０５を貫通してその先端はスライド操作ボタン２０２の底面に固定され、スライド操作ボタン２０２の上下方向の摺動に連動して上下方向に移動する。
【００９７】
また、動作モード設定部２１１の下方端にはメモリカード２０３の排出用端部２１２が形成されており、その先端は、メモリカード２０３の装着時に該メモリカード２０３の上端に当接するようになっている。
【００９８】
ところで本実施形態の音声記録再生装置は、スライド操作ボタン２０２の操作の仕方の違いによる２つの異なる操作体系を実現する。第１の操作体系として、スライド操作ボタン２０２は、いわゆるスライドボタンタイプのスイッチとしての機能を果たす。この場合、操作者はスライド操作ボタン２０２を本体２０１の外装面上を上方向（図１４中、矢印Ａ方向）に摺動させることで、本体内部に配設した所定のスイッチ（電気信号にかかるスイッチ）を作用せしめ操作を行い得る。
【００９９】
すなわち、動作モード設定部２１１の上方には所定の動作モードに対応するスイッチ２１３が配設されている。このスイッチ２１３は動作モード設定部２１１の移動により上面に押圧されてオン動作するスイッチであり、本実施形態では録音モード設定用スイッチとして機能する。また、そのオン、オフ信号は図示しないＣＰＵに接続される。このＣＰＵは、当該音声記録再生装置全体の動作制御を司るとともに上記スイッチ２１３の状態に基づいて所定の動作モードを制御するが、音声記録再生装置全体の動作については、ここでの詳しい説明は省略する。
【０１００】
一方、第２の操作体系として、スライド操作ボタン２０２を本体２０１の外装面上を下方向に向けて摺動させることで、その変位を利用した機械的な操作部として機能する。すなわち、この場合、操作者がスライド操作ボタン２０２を下方に向けて摺動させると、上記動作モード設定部２１１も連動して下方に移動し、排出用端部２１２がメモリカード２０３を下方に向けて押圧する。これにより、メモリカード２０３が開口部２０４から排出される。
【０１０１】
なお、上述したようにメモリカード２０３には切り欠き部２０３ａが形成されている。通常、メモリカード２０３が本体２０１に装着しているときは、この切り欠き部２０３ａにバネ付勢された固定用球２１４が嵌挿するようになっており、これにより本体２０１内で保持される。そして、メモリカード２０３は、動作モード設定部２１１の下方に移動に伴って排出用端部２１２に押圧されると、上記バネの付勢力に抗して切り欠き部２０３ａより固定用球２１４が外れメモリカード２０３は開口部２０４より排出される。
【０１０２】
次に、このような構成をなす本実施形態の録音操作について図１５を参照して説明する。図１５は本実施形態の音声記録再生装置の一側面を切り取ってスライド操作ボタン、動作モード設定部およびメモリカード排出機構を示した説明図であって、録音操作を行った際の様子を示したものである。
【０１０３】
いま、当該音声記録再生装置は停止状態にあり、かつ、メモリカード２０３が装着された状態にあるものとする。このとき、メモリカード２０３は図１４に示すように、固定用球２１４により保持されている。また、この停止状態のとき上記スライド操作ボタン２０２、動作モード設定部２１１等は図１３、図１４に示す状態にある。
【０１０４】
当該音声記録再生装置を録音モードに設定する場合、操作者はスライド操作ボタン２０２を上方に摺動させる（図１５に示す状態）。このスライド操作ボタン２０２の上方への移動により動作モード設定部２１１も一体的に上方に移動する。動作モード設定部２１１が上方へ移動すると録音モード設定用スイッチであるスイッチ２１３がオンされる。このスイッチ２１３のオン動作は図示しないＣＰＵにより認識され、該ＣＰＵはかかるスイッチ２１３のオン信号を入力すると、当該音声記録再生装置を再生モードに設定し、所定の回路を制御する。
【０１０５】
なお、上記動作モード設定部２１１の上方への移動の際、メモリカード２０３の保持状態は維持される。
【０１０６】
次に、このような構成をなす本第３の実施形態の音声記録再生装置において、装着されたメモリカード２０３のイジェクト（排出）操作について図１６を参照して説明する。図１６は、本発明の第３の実施形態である音声記録再生装置の一側面を切り取ってスライド操作ボタン、動作モード設定部およびメモリカード排出機構を示した説明図であって、メモリカード２０３を開口部２０４より排出させる操作を行った際の様子を示した図である。
【０１０７】
いま、当該音声記録再生装置は停止状態にあり、かつ、メモリカード２０３が装着された状態にあるものとする。このとき、メモリカード２０３は上述した機構により図１４に示す状態にある。
【０１０８】
装着されたメモリカード２０３をイジェクト（排出）する場合、操作者はスライド操作ボタン２０２を本体２０１の外装面上を下方向に向けて摺動させる。このスライド操作ボタン２０２の下方への摺動に連動して動作モード設定部２１１も下方に移動し、メモリカード２０３の上面に当接している排出用端部２１２が該メモリカード２０３を下方に向けて押圧する。メモリカード２０３が排出用端部２１２に押圧されると、固定用球２１４を付勢するバネの付勢力に抗して該固定用球２１４が切り欠き部２０３ａより外れる。固定用球２１４による保持力を失ったメモリカード２０３は、排出用端部２１２にそのまま押され開口部２０４より排出される。
【０１０９】
このように本実施形態の音声記録再生装置によれば、着脱自在の記録媒体（メモリカード２０３）のイジェクト（排出）専用の操作ボタン等を設けることなく、既存の操作部を利用してメモリカード２０３のイジェクト操作を行い得るので、本体の小型化に寄与し、かつ、操作性の優れた音声記録再生装置を提供することができるという効果を奏する。
【０１１０】
なお、本実施形態においては、メモリカード２０３のイジェクト操作を行うスライド操作ボタン２０２による他の操作は録音操作としたが、これに限らず、再生操作、早送り操作、早戻し操作を行うボタン等を利用してイジェクト操作を行ってもよい。この場合も上記同様の効果を奏する。
【０１１１】
次に、本発明の第４の実施形態の音声記録再生装置について説明する。
図１７は、本発明の第４の実施形態である音声記録再生装置の一側面を切り取ってスライド操作ボタン、動作モード設定部およびメモリカード排出機構を示した説明図であり、図１８は、同音声記録再生装置の一側面を切り取ってスライド操作ボタン、動作モード設定部およびメモリカード排出機構を示した説明図であり、メモリカードを排出する際の様子を示している。なお、上記第３の実施形態と同様の構成要素については同一の符号を付与し、ここでの説明は省略する。
【０１１２】
第４実施形態の音声記録再生装置は、上記第３の実施形態と同様にいわゆるデジタルレコーダと称される音声記録再生装置であって、マイクロホン等によって得られた音声信号をデジタル信号に変換して着脱自在な半導体メモリ（メモリカード）に記録しておき、再生時において、該半導体メモリからこの音声信号を読み出してアナログ信号に変換し、イヤホンやスピーカ等により音声として出力する機能を備えるレコーダであるが、第３の実施形態では底面に配設されたメモリカードの着脱用開口部を本体２０１の上面に設けたことを特徴とする。メモリカード２０３はこの開口部より装着するようになっており、図１７は、メモリカード２０３が装着された状態を示している。このメモリカード２０３は、上記同様に一側面に切り欠き部２０３ａが形成されており、固定用球２１４により保持されている。
【０１１３】
また、図１７に示すように、本第４の実施形態では、動作モード設定部２１１と同様の機能を果たす動作モード設定部２２１が配設される。この動作モード設定部２２１は板状部材であり、動作モード設定部２１１と同様に外装面を挟んでスライド操作ボタン２０２に対向する位置に配設され、連結部２１５を介してスライド操作ボタン２０２の底面に接続し、該スライド操作ボタン２０２の上下方向の摺動に連動して上下方向に移動する。
【０１１４】
また、動作モード設定部２１１の下方端にはメモリカード２０３の排出用レバー２２２の一端が当接している。この排出用レバー２２２は、本体２０１の固定された軸２３を軸に回動するレバーであり、一腕部２２２ａの先端は上記動作モード設定部２２１の下端面に当接し、他腕部２２２ｂの先端は装着されたメモリカード２０３の下端面に当接するようになっている。
【０１１５】
ところで本第４の実施形態の音声記録再生装置も、上記同様に、スライド操作ボタン２０２の操作の仕方の違いによる２つの異なる操作体系を実現する。第１の操作体系として、スライド操作ボタン２０２は、いわゆるスライドボタンタイプのスイッチとしての機能を果たす。この場合、操作者はスライド操作ボタン２０２を本体２０１の外装面上を上方向（図１７中、矢印Ａ方向）に摺動させることで、本体内部に配設した所定のスイッチ（電気信号にかかるスイッチ）を作用せしめ操作を行い得る。
【０１１６】
すなわち、動作モード設定部２２１の上方には所定の動作モードに対応するスイッチ２１３が配設されている。このスイッチ２１３は動作モード設定部２２１の移動により上面に押圧されてオン動作するスイッチであり、本第４の実施形態においても録音モード設定用スイッチとして機能する。また、そのオン、オフ信号は図示しないＣＰＵに接続される。
【０１１７】
一方、第２の操作体系として、スライド操作ボタン２０２を本体２０１の外装面上を下方向に向けて摺動させることで、その変位を利用した機械的な操作部として機能する。すなわち、操作者がスライド操作ボタン２０２を下方に向けて摺動させると、上記動作モード設定部２２１も連動して下方に移動し、排出用レバー２２２の一腕部２２２ａを図中、矢印Ｂの方向に回転させる。この排出用レバー２２２のＢ方向への回転により他腕部２２２ｂの先端がメモリカード２０３を上方に向けて押圧する。これにより、メモリカード２０３が上面の開口部から排出される。すなわち、上記バネの付勢力に抗して切り欠き部２０３ａより固定用球２１４が外れメモリカード２０３は開口部より排出される。
【０１１８】
このように本第４の実施形態の音声記録再生装置によれば、上記第３の実施形態と同様に、着脱自在の記録媒体（メモリカード２０３）のイジェクト（排出）専用の操作ボタン等を設けることなく、既存の操作部を利用してメモリカード２０３のイジェクト操作を行い得るので、本体の小型化に寄与し、かつ、操作性の優れた音声記録再生装置を提供することができるという効果を奏する。
【０１１９】
なお、本実施形態においても、メモリカード２０３のイジェクト操作を行うスライド操作ボタン２０２による他の操作は録音操作としたが、これに限らず、再生操作、早送り操作、早戻し操作を行うボタン等を利用してイジェクト操作を行ってもよい。この場合も上記同様の効果を奏する。
【０１２０】
次に、本発明の第５の実施形態の音声記録再生装置について説明する。
図１９は、本発明の第５の実施形態である音声記録再生装置の一側面を切り取ってスライド操作ボタン、動作モード設定部およびメモリカード排出機構を示した説明図であり、メモリカードを装着した状態を示している。なお、上記第３の実施形態と同様の構成要素については同一の符号を付与し、ここでの説明は省略する。
【０１２１】
本第５実施形態の音声記録再生装置は、上記第３の実施形態と同様にいわゆるデジタルレコーダと称される音声記録再生装置であって、マイクロホン等によって得られた音声信号をデジタル信号に変換して着脱自在な半導体メモリ（メモリカード）に記録しておき、再生時において、該半導体メモリからこの音声信号を読み出してアナログ信号に変換し、イヤホンやスピーカ等により音声として出力する機能を備えるレコーダであるが、所定の動作モードが働いているときは、スライド操作ボタンの下方への摺動を禁止する摺動禁止部材をさらに具備することを特徴とする。
【０１２２】
当該音声記録再生装置本体２０１の一側面（スライド操作ボタン２０２の配設面）側の本体内部には、スライド操作ボタン２０２の操作に連動して所定のスイッチを押圧する、あるいはメモリカード２０３を排出する動作モード設定部２３１が配設されている。この動作モード設定部２３１は略Ｌ字形の板状部材であり、外装面を挟んでスライド操作ボタン２０２に対向する位置に配設される。
【０１２３】
上記動作モード設定部２３１の一側面には、スライド操作ボタン２０２との連結部２１５が一体的に延設されている。この連結部２１５は本体２０１に形成された孔部２０５を貫通してその先端はスライド操作ボタン２０２の底面に固定され、スライド操作ボタン２０２の上下方向の摺動に連動して上下方向に移動する。
【０１２４】
また、動作モード設定部２３１の下方端にはメモリカード２０３の排出用端部２１２が形成されており、その先端は、メモリカード２０３の装着時に該メモリカード２０３の上端に当接するようになっている。
【０１２５】
さらに、動作モード設定部２３１の他側方には、当該音声記録再生装置が録音モードに設定され、さらに、録音動作が終了していない間は動作モード設定部２３１，ひいてはスライド操作ボタンの下方への摺動を禁止するプランジャ機構２３４が配設されている。これにともない、動作モード設定部２３１の他側面には、このプランジャ機構２３４におけるプランジャ先端が係合する係止部２３２が一体的に形成されている。この係止部２３２はラチェットを構成し、プランジャ機構２３４のプランジャ先端部が動作モード設定部２３１側に変位しているとき、当該動作モード設定部２３１の下方への移動を禁止するようになっている。
【０１２６】
上記プランジャ機構２３４は、当該音声記録再生装置全体の制御を司るＣＰＵ２３３に制御され、そのプランジャ先端部が動作モード設定部２３１に向けて進退するようになっている。
【０１２７】
一方でメモリカード２０３はＣＰＵ２３３に制御されてデータの読み書きを行うようになっているが、これによりＣＰＵ２３３はメモリカード２０３へのデータ書き込みの開始および終了を検出できるようになっている。
【０１２８】
ところで本第５の実施形態の音声記録再生装置も、上記同様、スライド操作ボタン２０２の操作の仕方の違いによる２つの異なる操作体系を実現する。第１の操作体系として、スライド操作ボタン２０２は、いわゆるスライドボタンタイプのスイッチとしての機能を果たす。この場合、操作者はスライド操作ボタン２０２を本体２０１の外装面上を上方向（図１９中、矢印Ａ方向）に摺動させることで、本体内部に配設した所定のスイッチ（電気信号にかかるスイッチ）を作用せしめ操作を行い得る。
【０１２９】
すなわち、動作モード設定部２３１の上方には所定の動作モードに対応するスイッチ２１３が配設されている。このスイッチ２１３は動作モード設定部２３１の移動により上面に押圧されてオン動作するスイッチであり、本第５の実施形態では録音モード設定用スイッチとして機能する。また、そのオン、オフ信号はＣＰＵ２３３に入力されるようになっている。そして、ＣＰＵ２３３は、スイッチ２１３の状態に基づいて所定の動作モードを制御する。
【０１３０】
一方、第２の操作体系として、スライド操作ボタン２０２を本体２０１の外装面上を下方向に向けて摺動させることで、その変位を利用した機械的な操作部として機能する。すなわち、この場合、操作者がスライド操作ボタン２０２を下方に向けて摺動させると、上記動作モード設定部２３１も連動して下方に移動し、排出用端部２１２がメモリカード２０３を下方に向けて押圧する。これにより、メモリカード２０３が開口部２０４から排出される。
【０１３１】
なお、上述したようにメモリカード２０３には切り欠き部２０３ａが形成されている。通常、メモリカード２０３が本体２０１に装着しているときは、この切り欠き部２０３ａにバネ付勢された固定用球２１４が嵌挿するようになっており、これにより本体２０１内で保持される。そして、メモリカード２０３は、動作モード設定部２３１の下方に移動に伴って排出用端部２１２に押圧されると、上記バネの付勢力に抗して切り欠き部２０３ａより固定用球２１４が外れメモリカード２０３は開口部２０４より排出される。
【０１３２】
次に、このような構成をなす本第５の実施形態の音声記録再生装置において、装着されたメモリカード２０３のイジェクト（排出）操作、および当該イジェクト操作の禁止機構の作用について図１９乃至図２２を参照して説明する。
【０１３３】
図１９は、上述したように本発明の第５の実施形態である音声記録再生装置の一側面を切り取ってスライド操作ボタン、動作モード設定部およびメモリカード排出機構を示した説明図であって、メモリカード２０３が装着され、かつ、所定動作が何等設定されていない状態を示す。また、図２０は、同音声記録再生装置において、録音操作を行った際の様子を示したものであり、図２１は、同音声記録再生装置において、録音操作を行った後に停止操作を行った直後の様子を示したものである。また、図２２は、同音声記録再生装置において、メモリカード２０３を開口部２０４より排出させる操作を行った際の様子を示した図である。
【０１３４】
いま、当該音声記録再生装置は停止状態にあり、かつ、メモリカード２０３が装着された状態にあるものとする。このとき、メモリカード２０３は上述した機構により図１９に示す状態にある。また、スライド操作ボタン２０２は孔２０５の中程の初期位置にあり、プランジャ機構２３４はＣＰＵ２３３に制御されて、動作モード設定部２３１より離間した位置にある。なお、この停止状態（初期状態）のときのスライド操作ボタン２０２の位置および動作モード設定部２３１の位置を、便宜上、第３の位置とする。
【０１３５】
録音動作を行う場合、図２０に示すように、操作者はスライド操作ボタン２０２を第３の位置より、本体２０１の外装面上を上方に向けて摺動させる。このスライド操作ボタン２０２の上方への摺動に連動して動作モード設定部２３１も上方に移動し、スイッチ２１３をオンせしめる。なお、このときのスライド操作ボタン２０２の位置、動作モード設定部２３１の位置を第１の位置とする。
【０１３６】
このスイッチ２１３のオン信号を受けてＣＰＵ２３３は録音にかかる所定の回路を作動させるほか、プランジャ機構２３４を制御してプランジャを動作モード設定部２３１の方向（図２０中、矢印Ｃ方向）に変位させる。
【０１３７】
次に、当該録音動作を停止させる場合、図２１に示すように、操作者はスライド操作ボタン２０２を下方の第３の位置まで摺動させる。このスライド操作ボタン２０２の摺動に連動して動作モード設定部２３１も下方に移動する。これにより、スイッチ２１３がオフされ、このオフ信号を受けたＣＰＵ２３３は動作モードを解除する。
【０１３８】
ところで、スライド操作ボタン２０２および動作モード設定部２３１が下方に移動されることとなるが、このとき、プランジャ機構２３４のプランジャが動作モード設定部２３１に向けて変位しているため（図２０参照）、当該プランジャ先端部と係止部２３２とが係合し、動作モード設定部２３１の第３の位置より下方への移動が規制される。
【０１３９】
これは、スライド操作ボタン２０２が録音停止操作された場合、動作モードの設定は解除されるが、ＣＰＵ２３３とメモリカード２０３とのデータ処理が完全に終了するには若干のタイムラグがあり、データ破損等の不具合を防止するため、メモリカード２０３へのデータ書き込みが終了するまではメモリカード２０３の排出を避けるための措置である。
【０１４０】
スライド操作ボタン２０２の操作により録音モータの設定が解除された後、所定時間経過後、ＣＰＵ２３３は、プランジャ機構２３４を制御してプランジャを動作モード設定部２３１から離間させる方向（図２１中、矢印Ｄ方向）に変位させる。これにより、スライド操作ボタン２０２を下方に向けて摺動、すなわち、メモリカード２０３の排出操作が可能となる。
【０１４１】
録音動作等、所定の動作がなされていない状態、少なくともメモリカード２０３へのデータ書き込み、読み込みが為されていない状態でメモリカード２０３をイジェクト（排出）する場合、操作者はスライド操作ボタン２０２を本体２０１の外装面上を下方向に向けて摺動させる（図２２参照）。このスライド操作ボタン２０２の下方への摺動に連動して動作モード設定部２３１も下方に移動し、メモリカード２０３の上面に当接している排出用端部２１２が該メモリカード２０３を下方に向けて押圧する。なお、このときのスライド操作ボタン２０２および動作モード設定部２３１の位置を、便宜上第２の位置とする。
【０１４２】
メモリカード２０３が排出用端部２１２に押圧されると、固定用球２１４を付勢するバネの付勢力に抗して該固定用球２１４が切り欠き部２０３ａより外れる。固定用球２１４による保持力を失ったメモリカード２０３は、排出用端部２１２にそのまま押され開口部２０４より排出される。
【０１４３】
このように本第５の実施形態の音声記録再生装置によれば、上記第３の実施形態と同様に、着脱自在の記録媒体（メモリカード２０３）のイジェクト（排出）専用の操作ボタン等を設けることなく、既存の操作部を利用してメモリカード２０３のイジェクト操作を行い得るので、本体の小型化に寄与し、かつ、操作性の優れた音声記録再生装置を提供することができるという効果を奏する。
【０１４４】
さらに、メモリカード２０３へのデータ処理が為されている間は、当該メモリカード２０３の排出操作を禁止するので、誤ってメモリカード２０３へ書き込むデータを破損してしまうことを防止することができる。
【０１４５】
なお、本実施形態においても、メモリカード２０３のイジェクト操作を行うスライド操作ボタン２０２による他の操作は録音操作としたが、これに限らず、再生操作、早送り操作、早戻し操作を行うボタン等を利用してイジェクト操作を行ってもよい。この場合も上記同様の効果を奏する。すなわち、録音に限らず、データ再生中等、メモリカード２０３からデータを読み込んでいる場合にも、当該メモリカード２０３の排出操作を禁止することができるので、この場合もデータ処理の不都合を防ぐことができる。
【０１４６】
また、上記各実施形態は、本発明を音声記録再生装置に適用した例として示したが、本発明の思想はこれに限らず、上記同様のスライド操作ボタンを備え、かつ、記録媒体を着脱自在とする電子機器、たとえば携帯型情報端末装置、映像記録装置、画像記録装置等に広く適用することができ、この場合も上記同様の効果を発揮することとなる。
【０１４７】
【発明の効果】
以上説明したように本発明によれば、小型で操作性に優れた電子機器を提供することができる。
【０１４８】
また、小型で操作性に優れ、さらに処理データの破損、データ処理の不都合を防止することができる電子機器を提供することができる。
【図面の簡単な説明】
【図１】本発明の第１の実施形態である音声記録再生装置の外観を示した斜視図であって、着脱自在なメモリカードを装着した様子を示した図である。
【図２】上記第１の実施形態の音声記録再生装置の一側面を切り取ってスライド操作ボタン、動作モード設定部およびメモリカード排出機構を示した説明図である。
【図３】上記第１の実施形態の音声記録再生装置の一側面を切り取ってスライド操作ボタン、動作モード設定部およびメモリカード排出機構を示した説明図であって、再生操作を行った際の様子を示した図である。
【図４】上記第１の実施形態の音声記録再生装置の一側面を切り取ってスライド操作ボタン、動作モード設定部およびメモリカード排出機構を示した説明図であって、録音操作を行った際の様子を示した図である。
【図５】上記第１の実施形態である音声記録再生装置の外観を示した斜視図であって、着脱自在なメモリカードを排出する際の様子を示した図である。
【図６】上記第１の実施形態の音声記録再生装置の一側面を切り取ってスライド操作ボタン、動作モード設定部およびメモリカード排出機構を示した説明図であって、メモリカードの排出操作を行った際の様子を示した図である。
【図７】本発明の第２の実施形態である音声記録再生装置の外観を示した斜視図である。
【図８】上記第２の実施形態の音声記録再生装置の一側面を切り取ってスライド操作ボタンおよびメモリカード排出機構を示した説明図である。
【図９】上記第２の実施形態の音声記録再生装置におけるスライド操作ボタンを中程において水平に切り取って示した断面図である。
【図１０】上記第２の実施形態の音声記録再生装置の一側面を切り取ってスライド操作ボタンおよびメモリカード排出機構を示した説明図であって、再生操作を行った際の様子を示した図である。
【図１１】上記第２の実施形態の音声記録再生装置の一側面を切り取ってスライド操作ボタンおよびメモリカード排出機構を示した説明図であって、メモリカードの排出操作を行った際の様子を示した図である。
【図１２】上記第２の実施形態の音声記録再生装置におけるスライド操作ボタンを中程において水平に切り取って示した断面図であり、メモリカードの排出操作を行った際の様子を示した図である。
【図１３】本発明の第３の実施形態である音声記録再生装置の外観を示した斜視図であって、着脱自在なメモリカードを装着した様子を示した図である。
【図１４】上記第３の実施形態の音声記録再生装置の一側面を切り取ってスライド操作ボタン、動作モード設定部およびメモリカード排出機構を示した説明図である。
【図１５】上記第３の実施形態の音声記録再生装置の一側面を切り取ってスライド操作ボタン、動作モード設定部およびメモリカード排出機構を示した説明図であって、録音操作を行った際の様子を示した図である。
【図１６】上記第３の実施形態の音声記録再生装置の一側面を切り取ってスライド操作ボタン、動作モード設定部およびメモリカード排出機構を示した説明図であって、メモリカードの排出操作を行った際の様子を示した図である。
【図１７】本発明の第４の実施形態の音声記録再生装置の一側面を切り取ってスライド操作ボタン、動作モード設定部およびメモリカード排出機構を示した説明図である。
【図１８】上記第４の実施形態の音声記録再生装置の一側面を切り取ってスライド操作ボタン、動作モード設定部およびメモリカード排出機構を示した説明図であって、メモリカードを排出する際の様子を示した図である。
【図１９】本発明の第５の実施形態である音声記録再生装置の一側面を切り取ってスライド操作ボタン、動作モード設定部およびメモリカード排出機構を示した説明図である。
【図２０】上記第５の実施形態の音声記録再生装置において、録音操作を行った際の様子を示した図である。
【図２１】上記第５の実施形態の音声記録再生装置において、録音操作を行った後に停止操作を行った直後の様子を示した図である。
【図２２】上記第５の実施形態の音声記録再生装置において、メモリカードを開口部より排出させる操作を行った際の様子を示した図である。
【図２３】従来の着脱自在な記録媒体を装着可能な音声記録再生装置の一例を示した外観斜視図である。
【符号の説明】
１…本体１
２…スライド操作ボタン
３…メモリカード
３ａ…メモリカード保持用切り欠き部
４…記録媒体着脱用開口部
５…孔部
１１…排出レバー
１１ａ…第１腕部
１１ｂ…第２腕部
１１ｃ…第３腕部
１２…動作モード設定部
１３…再生モード設定用スイッチ
１４…録音モード設定用スイッチ
１５…付勢バネ
１６…付勢バネ
【図１】
0004454832.tif 000002
【図２】
0004454832.tif 000003
【図３】
0004454832.tif 000004
【図４】
0004454832.tif 000005
【図５】
0004454832.tif 000006
【図６】
0004454832.tif 000007
【図７】
0004454832.tif 000008
【図８】
0004454832.tif 000009
【図９】
0004454832.tif 000010
【図１０】
0004454832.tif 000011
【図１１】
0004454832.tif 000012
【図１２】
0004454832.tif 000013
【図１３】
0004454832.tif 000014
【図１４】
0004454832.tif 000015
【図１５】
0004454832.tif 000016
【図１６】
0004454832.tif 000017
【図１７】
0004454832.tif 000018
【図１８】
0004454832.tif 000019
【図１９】
0004454832.tif 000020
【図２０】
0004454832.tif 000021
【図２１】
0004454832.tif 000022
【図２２】
0004454832.tif 000023
【図２３】
0004454832.tif 000024